(57)【特許請求の範囲】
【請求項１】
屋根の開口部に天窓を取付け、屋根上に多数のパネル状の太陽電池モジュールを配設すると共に、屋根の天窓部分の上方位置において太陽電池モジュールに代えて採光パネルを配置し、少なくとも採光パネルの下方位置における屋根の上面の天窓の取付け部分の周囲の野地面に不燃板を敷設し、屋根上に多数の固定金具を取付け、下段の太陽電池モジュールの軒棟方向の棟側端部を固定金具に載置して取付け、上段の太陽電池モジュールの軒棟方向の軒側端部を下段の太陽電池モジュールの棟側端部上に載設して取付け、該上段の太陽電池モジュールの軒と平行な両端部をそれぞれ固定金具に載置して取付け、採光パネルの軒棟方向における軒側端部を、該採光パネルの下段の太陽電池モジュールの棟側端部上に重ねて取付け、採光パネルの軒棟方向における棟側端部を固定金具に載置して取付け、採光パネルの軒と平行な方向の両端部を固定金具に載置して取付け、不燃板に固定金具間の隙間を遮蔽するための立ち上がりを突設して成ることを特徴とする採光窓の防火構造。
【請求項２】
不燃板上に不燃板とは別体の不燃材を載設して立ち上がりを構成して成ることを特徴とする請求項１記載の採光窓の防火構造。
【請求項３】
採光パネルの下方に採光パネルよりも平面視における大きさが小さい天窓を配置し、屋根の上面の天窓の四周の水下、両側、水上の野地面に４枚の不燃板を敷設し、天窓の周囲に位置する固定金具を不燃板上に載置した状態で固定し、各不燃板の固定金具を基準にして天窓と反対側の隣接する太陽電池モジュールの下方位置に立ち上がりを設けて成ることを特徴とする請求項１記載の採光窓の防火構造。
【請求項４】
天窓の上部を野地面よりも上方に突出させ、野地面上に防水性を有する屋根下地材を敷設し、天窓の側面部と採光窓に隣接した屋根下地材上にわたって防水テープを貼り付け、不燃板の下面に設けた弾性を有する防水材を防水テープに押接して成ることを特徴とする請求項１又は請求項２又は請求項３記載の採光窓の防火構造。
【請求項５】
不燃板の天窓側の端縁部に上方に向けて起立片を突設し、この起立片の上端を天窓に設けた係止部に係止して成ることを特徴とする請求項４記載の採光窓の防火構造。
【請求項６】
採光パネルの下方位置における屋根の上面の天窓の四周の水下、両側、水上の野地面に４枚の不燃板を敷設し、不燃板の天窓側の端縁部に上方に向けて起立片を突設し、この起立片の上端を天窓に設けた係止部に係止し、水下側の不燃板の起立片の横方向の両端部の背面に弾性を有する止水材を設けて該止水材を天窓の上部の水下側の側面に押接し、水下側の不燃板の起立片の止水材よりも内側の下端部に排水孔を設けて成ることを特徴とする請求項１乃至請求項５のいずれかに記載の採光窓の防火構造。
【発明の詳細な説明】
【０００１】
【発明の属する技術分野】
本発明は、天窓の上方に採光パネルを配置した採光窓の防火構造に関するものである。
【０００２】
【従来の技術】
従来から、屋根上に多数のパネル状の太陽電池モジュールを配設して太陽光発電を行うことが知られている。
【０００３】
このように屋根面に多数のパネル状の太陽電池モジュールを配置したものにおいて、採光窓を形成する場合、従来にあっては、多数のパネル状の太陽電池モジュールのうちの一つの太陽電池モジュールの配置位置に天窓を取付けていた。
【０００４】
このため、屋根面には多数の太陽電池モジュールが敷設してある中の一部に天窓の枠部が露出し、屋根面の外観が不統一となって外観が良くないという問題があり、また、太陽電池モジュールの屋根面への取付けと、天窓の屋根への取付けとは取付け構造が異なるため、多数敷設した太陽電池モジュールの一つを除去した部分に天窓を外観の収まりや防水上の収まりが良いように施工するのは難しいものであった。
【０００５】
そこで、屋根上に多数のパネル状の太陽電池モジュールを配設すると共に、屋根に形成する天窓部分の上方位置において太陽電池モジュールに代えて採光窓ユニットを配置し、採光窓ユニットの下方に天窓となる内部採光窓を配置したものが提案されている。つまり、採光窓ユニットは一種のダミーパネルであって、太陽電池モジュールに隣接して取付けるようにすることで、採光窓の構造を設けたものにおいて屋根の外観が統一され、また、収まりを良くするようにしている。（例えば、特許文献１参照）
【０００６】
【特許文献１】
特開２００１−２１４５８４号公報
【０００７】
【発明が解決しようとする課題】
ところが、上記特許文献１において、採光パネルが破損した場合、もし火の粉が野地面のような屋根下地面に落ちると屋根全体が燃えてしまうという問題がある。
【０００８】
また、火の粉のような火種が採光パネルの破損した個所から下方に落下した場合、採光パネル、下段の太陽電池モジュールを支持している固定金具間から採光パネルの周囲の太陽電池モジュールの下方の空間に侵入して屋根が燃えるおそれがある。
【０００９】
更に、天窓と四周の不燃板との間の部分の防火性能を向上しなければ、天窓の周囲の野地面部分に火が移るおそれがある。
【００１０】
また、天窓の側面部と天窓に隣接した野地面上のルーフィング上にわたって防水テープが浮くとこの部分から雨水が浸入するおそれがある。
【００１１】
本発明は上記の点に鑑みてなされたものであり、採光パネルが破損した場合に、もし火の粉が採光パネルの破損した部分から落下しても屋根が燃えないようにでき、更に、雨仕舞いも確実にできる採光窓の防火構造を提供することを課題とするものである。
【００１２】
【課題を解決するための手段】
上記課題を解決するために本発明に係る採光窓の防火構造は、屋根１の開口部２に天窓３を取付け、屋根１上に多数のパネル状の太陽電池モジュール８を配設すると共に、屋根１の天窓３部分の上方位置において太陽電池モジュール８に代えて採光パネル５を配置し、少なくとも採光パネル５の下方位置における屋根１の上面の天窓３の取付け部分の周囲の野地面に不燃板２７を敷設して成ることを特徴とするものである。このような構成とすることで、採光パネル５を太陽電池モジュール８のダミーパネルとして利用することで、屋根１上の太陽電池モジュール８を多数並べた部分に天窓３が露出せず、屋根１の外観をよくしながら採光パネル５，天窓３のガラスを介して室内に採光できるものであり、また、採光パネル５が破損した場合、もし火の粉が採光パネル５の破損した部分から天窓３の周囲の野地面に落ちたとしても不燃板２７により野地面が覆われているため屋根１が燃えるのを防止することができるものである。
【００１３】
また、屋根１上に多数の固定金具３６、３７を取付け、下段の太陽電池モジュール８の軒棟方向の棟側端部を固定金具３６に載置して取付け、上段の太陽電池モジュール８の軒棟方向の軒側端部を下段の太陽電池モジュール８の棟側端部上に載設して取付け、該上段の太陽電池モジュール８の軒と平行な両端部をそれぞれ固定金具３７に載置して取付け、採光パネル５の軒棟方向における軒側端部を該採光パネル５の下段の太陽電池モジュール８の棟側端部上に重ねて取付け、採光パネル５の軒棟方向における棟側端部を固定金具３６に載置して取付け、採光パネル５の軒と平行な方向の両端部を固定金具３７に載置して取付け、不燃板２７に固定金具３６、３７間の隙間を遮蔽するための立ち上がり５０を突設することにより、採光パネル５が破損して天窓３の周囲の野地面上に敷設した不燃板２７上に火の粉のような火種が落ちても固定金具３６間や固定金具３７間から太陽電池モジュール８の下方の空間に火種が入り込むのを防止できるものである。
【００１４】
また、不燃板２７上に不燃板２７とは別体の不燃材２８を載設して立ち上がり５０を構成することが好ましい。このような構成とすることで、天窓３と採光パネル５の位置がずれて施工された場合でも、不燃材２８が不燃板２７と別体であるため、固定金具３６、３７の位置を避けて不燃材２８を不燃板２７上に載設して固定金具３６、３７間の隙間を遮蔽することができるものである。
【００１５】
また、採光パネル５の下方に採光パネル５よりも平面視における大きさが小さい天窓３を配置し、屋根１の上面の天窓３の四周の水下、両側、水上の野地面に４枚の不燃板２７を敷設し、天窓３の周囲に位置する固定金具３６、３７を不燃板２７上に載置した状態で固定し、各不燃板２７の固定金具３６、３７を基準にして天窓３と反対側の隣接する太陽電池モジュール８の下方位置に立ち上がり５０を設けることが好ましい。このような構成とすることで、各不燃板２７に立ち上がり５０を形成したものにおいて、天窓３と採光パネル５の位置がずれて施工された場合でも、固定金具３６、３７が立ち上がり５０を避けることができて立ち上がり５０により固定金具３６、３７間の隙間を遮蔽することができるものである。
【００１６】
また、天窓３の上部を野地面よりも上方に突出させ、野地面上に防水性を有する屋根下地材１７を敷設し、天窓３の側面部と採光窓に隣接した防水性を有する屋根下地材１７上にわたって防水テープ５１を貼り付け、不燃板２７の下面に設けた弾性を有する防水材５２を防水テープ５１に押接することが好ましい。このような構成とすることで、不燃板２７を敷設することで、不燃板２７の下面に設けた防水材５２により防水テープ５１を弾性的に押接して防水テープ５１が浮き上がって、防水テープ５１の下面側に雨水が浸入するのを防止し、更に、不燃板２７の端部から不燃板２７の下面側に雨水が浸入するのを防止することができるものである。
【００１７】
また、不燃板２７の天窓３側の端縁部に上方に向けて起立片５３を突設し、この起立片５３の上端を天窓３に設けた係止部５４に係止することが好ましい。このような構成とすることで、天窓３と野地面とのなすコーナ部分に火種が入り込むのを不燃板２７の天窓３側の端縁部に突設した起立片５３により防ぐことができるものであり、また、起立片５３の上端を天窓３に設けた係止部５４に係止することで、不燃板２７の天窓３側の端部を下方に押し付ける力が作用し、これにより不燃板２７の下面に設けた防水材５２で防水テープ５１を確実に弾性的に押接することができて、防水テープ５１の浮き上がりをより確実に防止することができ、雨水の浸入を確実に防止することができるものである。
【００１８】
また、採光パネル５の下方位置における屋根１の上面の天窓３の四周の水下、両側、水上の野地面に４枚の不燃板２７を敷設し、不燃板２７の天窓３側の端縁部に上方に向けて起立片５３を突設し、この起立片５３の上端を天窓３に設けた係止部５４に係止し、水下側の不燃板２７の起立片５３の横方向の両端部の背面に弾性を有する止水材５５を設けて該止水材５５を天窓３の上部の水下側の側面に押接し、水下側の不燃板２７の起立片５３の止水材５５よりも内側の下端部に排水孔５６を設けることが好ましい。このような構成とすることで、側部の不燃板２７の起立片５３と天窓３の側面との間の隙間を流れる雨水が水下側の不燃板２７の起立片５３と天窓３の水下側の側面との間の隙間に流れ込むのを止水材５５により防止することができ、また、天窓３の結露水は水下側の不燃板２７の起立片５３と天窓３の水下側の側面との間の隙間から排水孔５６を経て外部に排出することができるものである。
【００１９】
【発明の実施の形態】
以下、本発明を添付図面に示す実施形態に基づいて説明する。
【００２０】
屋根１に開口部２を設け、この開口部２には天窓３が取付けられる。ここで、屋根１面には図６に示すように多数のパネル状の太陽電池モジュール８が配設される。そして、多数のパネル状の太陽電池モジュール８のうち上記天窓３の真上においては太陽電池モジュール８に代えてダミーパネルである採光パネル５を配置する。つまり、屋根１の開口部２に取付けた天窓３の上方位置に隙間を介して採光パネル５を配置する。
【００２１】
屋根１の野地面の主体を構成する構造用合板１６には図７（ａ）のように開口部２が形成してあり、この開口部２の周囲の裏面側には図７（ｂ）のように補強材４０が取付けられる。更に、図７（ｃ）のように構造用合板１６の上にルーフィングのような防水性を有する屋根下地材１７を敷設してある。上記開口部２には図７（ｄ）のように天窓３を嵌め込んで取付けてある。天窓３は図１乃至図５に示すように枠体１８の上部内周部にガラス１４（添付図面の実施形態ではペアガラス）を載置し、枠体１８の上部に取付ける枠部６により上記ガラス１４を押圧して枠体１８と枠部６とで挟持することで構成してある。
【００２２】
枠体１８は、図１、図２に示すように水下側下枠材２０ａと水上側下枠材２０ｂと両側下枠材２０ｃとを矩形状に枠組み一体化して構成した下枠体２０の上部に、水下側上枠材２１ａと水上側上枠材２１ｂと両側上枠材２１ｃとを矩形状に枠組み一体化して構成した上枠体２１を釘やねじのような固着具２２により固着して構成してある。水下側下枠材２０ａ上には載置台４６上にガラス１４の端部が載置され、水上側下枠材２０ｂと両側下枠材２０ｃ上には上面の段部２３にガラス１４の端部が載置してあり、矩形状をした枠部６を矩形状をした上枠体２１にビス１５で固着することで、枠部６の押さえ片によりガラス１４を押さえるようになっている。
【００２３】
また、上枠体２１を構成する水下側上枠材２１ａと水上側上枠材２１ｂと両側上枠材２１ｃには図３乃至図５に示すように固定横片２４ａ、２４ｂ、２４ｃが設けてあり、それぞれ固着具２２により屋根１の構造用合板１６を貫通して開口部２の周囲の補強材４０に固着してある。
【００２４】
上記の枠体１８の屋根１の開口部２への取付け部分の周囲の上面には各固定横片２４ａ、２４ｂ、２４ｃの上面からルーフィングのような防水性を有する屋根下地材１７上にかけて図７（ｅ）のように防水テープ２５を貼着してあり、これにより天窓３の枠体１８の屋根１への取付け部分から内部に水が浸入しないようになっている。ここで、図３、図４、図５のように、固定横片２４ａ、２４ｂ、２４ｃの下面と屋根下地材１７との間にパッキン、シール材、接着剤等の防水材２６を介装することでよりいっそう天窓３の枠体１８の屋根１への取付け部分の防水性を向上させることができるものである。
【００２５】
また、枠体１８の屋根１の開口部２への取付け部分の周囲の上面には図７（ｆ）のように天窓３の四周の水下、両側、水上の野地面に４枚の不燃板２７を敷設してある。不燃板２７は端部が枠体１８に近接していて防水材２６の屋根下地材１７に貼り付けた部分の上に重ねてある。不燃板２７としては例えば０．３５ｍｍ厚以上のガルバリウム鋼板が用いられる。更に、不燃板２７には後述の固定金具３６、３７間の隙間を遮蔽するための立ち上がり５０が突設してある。図１乃至図５、図７（ｇ）に示す実施形態では枠体１８の周囲からある距離をおいて横片２８ａと縦片２８ｂとを有する不燃材２８を配置して横片２８ａ部分を釘打ち等により取付けてある。すなわち本実施形態においては、不燃板２７とは別体の不燃材２８を不燃板２７に取付けることで立ち上がり５０を構成している。また、天窓３の枠部６上には後述の採光パネル５が積雪により下方に撓んだ際に採光パネル５を支持するための支持部７が設けてある。
【００２６】
また、図１、図２に示すように、天窓３の下部にはルーバを備えたルーバユニット４１を取付けて採光と遮光の選択、採光量の選択等ができるようにしてある。
【００２７】
屋根１にパネル状の太陽電池モジュール８を配設するには以下のようにして配設してある。すなわち、図１乃至図５に示すようにパネル状をした太陽電池モジュール８の周囲にはモジュール枠２９が装着してあり、このモジュール枠２９は下枠材２９ａ、上枠材２９ｂ、両側枠材２９ｃを矩形状に枠組みして形成してある。下枠材２９ａ、上枠材２９ｂ、両側枠材２９ｃには嵌め込み溝部３０が設けてあって、この嵌め込み溝部３０にパネル状をした太陽電池モジュール８の外周縁部がはめ込んである。パネル状をした太陽電池モジュール８の下面部には防火板３１が取着してある。上枠材２９ｂの下面部には取付け金具係止部３２が設けてあり、上枠材２９ｂの上面部には係合部３３が設けてある。一方、下枠材２９ａの下面部には被係合部３４が設けてある。また、側枠材２９ｃには係止孔３５が設けてある。
【００２８】
上記の構成の太陽電池モジュール８は屋根１の上に載置した固定金具３６，３７を用いて取付けるものである。固定金具３６、３７はピース状をしていてそれぞれ被係止部３６ａ、３７ａが設けてある。この固定金具３６、３７は屋根１上の太陽電池モジュール８を配置する個所の周囲に配置して固着具により固定され、固定金具３６の被係止部３６ａに太陽電池モジュール８の上枠材２９ｂの取付け金具係止部３２を係止し、太陽電池モジュール８の側枠材２９ｃの係止孔３５に固定金具３７の被係止部３７ａを係止し、また、太陽電池モジュール８の下枠材２９ａの被係合部３４を下段の太陽電池モジュール８の上枠材２９ｂの係合部３３に係合する。このようにして、太陽電池モジュール８の周囲を下段の太陽電池モジュール８の上枠材２９ｂ、固定金具３６、３７を利用して屋根１の上に取付けるものである。同様にして軒棟方向に太陽電池モジュール８を多段に配設して取付けていくものである。なお、軒棟方向の軒側端部においては図示を省略しているが、屋根１上にスタータ金具を取付け、このスタータ金具の係合部に軒側端部の太陽電池モジュール８の下枠材２９ａの被係合部３４を係合することにより取付けるものである。また、軒と平行な方向においては、図５のように軒と平行な方向に隣接する太陽電池モジュール８の側枠材２９ｃの外側面同士を近接対向させ、モジュール間カバー３８を両側枠材２９ｃの上面を覆うようにして被着するようになっている。
【００２９】
上記のようにして屋根１上に多数の太陽電池モジュール８を軒と平行な方向及び軒棟方向に配設して取付けるのであるが、本発明においては、前述のように屋根１の開口部２に取付けた天窓３の上方位置においては太陽電池モジュール８に代えて図１乃至図５、図７（ｈ）に示すように採光パネル５を配置する。この採光パネル５は太陽電池モジュール８と同様に周囲に下枠材２９ａ、上枠材２９ｂ、両側枠材２９ｃを矩形状に枠組みして形成したモジュール枠２９が装着してあり、下枠材２９ａ、上枠材２９ｂ、両側枠材２９ｃに設けた嵌め込み溝部３０に採光パネル５の外周縁部がはめ込んである。
【００３０】
そして、採光パネル５は上記した太陽電池モジュール８の取付けと同様にして、採光パネル５のモジュール枠２９の周囲を下段の太陽電池モジュール８の上枠材２９ｂ、固定金具３６、３７を利用して屋根１の上に取付けるものである。
【００３１】
上記のようにして採光パネル５を太陽電池モジュール８と同様にして屋根１上に配設して取付けるのであるが、この場合、屋根１の開口部２に天窓３を取付ける際に不燃板２７の上に天窓３の枠体１８の周囲からある距離をおいて取付けた不燃材２８は図１乃至図５に示すように、天窓３に対して軒側にずれて位置する固定金具３６よりも軒側にずれた位置に取付け、天窓３よりも棟側にずれて位置する固定金具３６よりも棟側にずれた位置に取付け、天窓３の左右両方に位置する太陽電池モジュール８を支持している固定金具３７よりも採光パネル５から外側にずれた位置にそれぞれ位置するように施工してＬ状の不燃材２８の縦片２８ｂ又は横片２８ａ（Ｌ状の不燃材２８を倒すと横片２８ａが縦になる）により隣接する固定金具３６、３７間を遮蔽する。この場合、添付図面に示すように、添付図面に示すように隣接する固定金具３６、３７間の下部のみをＬ状の不燃材２８で遮蔽するだけでもよく、また、隣接する固定金具３６、３７間の下部だけでなく上部もＬ状の不燃材２８で遮蔽するようにしてもよい。この不燃材２８は図８に示すように軒と平行な方向に隣接する固定金具３６間や軒棟方向に隣接する固定金具３７間の隙間に対応した位置に位置するものでもよく、図９に示すように長尺のもので上記隙間以外にも固定金具３６や固定金具３７と対応する部分を有するものであってもよい。
【００３２】
上記のようにして屋根１の開口部２に取付けた天窓３の上方位置に隙間を介して採光パネル５を配置することで採光窓を構成するものであり、採光パネル５、天窓３のガラス１４を通して室内の採光をすることができるものである。
【００３３】
しかして、太陽電池モジュール８部分においては裏面に防火板３１が設けてあるが、太陽電池モジュール８に代えて配設した採光パネル５が仮に破損した場合、もし火の粉や火種が構造用合板１６上に落下すると屋根全体が燃えてしまうことがあるが、本発明においては、採光パネル５の下方の天窓３の周囲に火の粉などの火種が落下しても不燃板２７により火の粉などの火種が屋根１の上面の屋根下地材１７や構造用合板１６側に火が移らないように防ぐものである。
【００３４】
ここで、不燃板２７上に落下した火種は隣接する固定金具３６間の隙間や隣接する固定金具３７間の隙間から太陽電池モジュール８の下方に入り込もうとするが、上記の不燃材２８の縦片２８ｂにより阻止されて太陽電池モジュール８の下方に入り込むのが防止される。
【００３５】
上記実施形態においてはＬ状をした不燃材２８を図１乃至図５に示すように、天窓３に対して軒側にずれて位置する固定金具３６よりも軒側にずれた位置に取付け、天窓３よりも棟側にずれて位置する固定金具３６よりも棟側にずれた位置に取付け、天窓３の左右両方に位置する太陽電池モジュール８を支持している固定金具３７よりも採光パネル５から外側にずれた位置にそれぞれ位置するように施工してＬ状の不燃材２８の縦片２８ｂにより隣接する固定金具３６、３７間を遮蔽する構造のものであり、これにより固定金具３６や固定金具３７と不燃材２８の縦片２８ｂとの間に僅かに上方に開口する隙間があったり、固定金具３６間や固定金具３７間の下部のみを縦片２８ｂで遮蔽したものであったりする場合でも、採光パネル５の端部が破損してここから落下する火の粉のような火種が太陽電池モジュール８の下方に入らないようにできるものである。
【００３６】
もちろん、図１０に示すように採光パネル５の周囲の下方において固定金具３６や固定金具３７よりも内側にＬ状の不燃材２８を配設して少なくとも隣接する固定金具３６、３７間を遮蔽するようにしてもよいものである。
【００３７】
また、図１１に示すように、Ｌ状の不燃材２８の縦片２８ｂを長手方向の一側端側の突出長さが長く他端部側の突出長さが短くなるように上縁を傾斜させてもよい。このようにすると採光パネル５と屋根１の上面に敷設した不燃板２７との間の隙間が水上側と水下側とで異なっている場合に対応して採光パネル５と屋根１の上面に敷設した不燃板２７との間の隙間を遮蔽することも可能となる。この場合、更に、横片２８ａも長手方向の一側端側が突出長さが長く他端部側が突出長さが短くなるように側縁を傾斜させてもよい。このようにすると、横片２８ａが縦となるように取付けても場合に、上記と同様に採光パネル５と不燃板２７との間の隙間が水上側と水下側とで異なっている場合に対応して採光パネル５と屋根１の上面に敷設した不燃板２７との間の隙間を遮蔽することも可能となる。
【００３８】
また、上記した実施形態のように、不燃板２７上に不燃板２７とは別体の不燃材２８を載設して立ち上がり５０を構成したものにおいては、施工誤差により天窓３と採光パネル５の位置がずれて施工された場合でも、不燃材２８が不燃板２７と別体であるため、固定金具３６、３７の位置を避けて不燃材２８を不燃板２７上に載設して固定金具３６、３７間の隙間を遮蔽することができるものである。
【００３９】
次に、図１２、図１３に基づいて本発明の他の実施形態につき説明する。
【００４０】
本実施形態において、基本的構造は前述の実施形態と同様であり、重複する説明は省略するが、同じ構成のものは同じ符号をつけている。以下、本実施形態の上記実施形態と異なる構成につき説明する。採光パネル５の下方に採光パネル５よりも平面視における大きさが小さい天窓３が配置してあり、屋根１の上面の天窓３の四周の水下、両側、水上の野地面に４枚の不燃板２７を敷設してある。この不燃板２７には一体に立ち上がり５０を突設してあり、添付図面に示す実施形態では、各ガルバリウム鋼板のような不燃板２７の天窓３と反対側の端縁部に上方に向かって一体に立ち上がり５０を突設してある。また、不燃板２７の下面の天窓３側の端部には端部に沿って合成樹脂発泡体などよりなる弾性を有する防水材５２が取着してある。更に、不燃板２７の天窓３側の端縁部に上方に向かって起立片５３が一体に突設してある。
【００４１】
前述の実施形態と同様に天窓３の上部を野地面よりも上方に突出させ、野地面上にルーフィングを敷設してある。そして、本実施形態においては、天窓３の側面部と採光窓に隣接した野地面上のルーフィングのような防水性を有する屋根下地材１７上にわたって防水テープ５１を貼り付けてある。
【００４２】
水下、両側、水上の野地面に４枚の不燃板２７を屋根１の上面の天窓３の四周に敷設した後に、天窓３の周囲に位置する固定金具３６、３７を不燃板２７上に載置して固着具２２により固定し、固定金具３６、３７を利用して前述の実施形態と同様に太陽電池モジュール８、天窓３を取付けるのである。ここで、各不燃板２７の立ち上がり５０はいずれも固定金具３６、３７を基準にして天窓３と反対側の隣接する太陽電池モジュール８の下方位置に位置するように施工するものであり、これにより本実施形態のように各不燃板２７に立ち上がり５０を突設するものにおいて、天窓３と採光パネル５の位置がずれて施工された場合でも、固定金具３６、３７が立ち上がり５０を避けることができて立ち上がり５０により固定金具３６、３７間の隙間を遮蔽することができるものである。つまり、立ち上がり５０が天窓３と固定金具３６、３７との間に位置するようにするものにおいては、施工誤差により天窓３と採光パネル５の位置がずれて施工される場合、固定金具３６、３７が天窓３に近づいて配置しなければならない場合、立ち上がり５０が邪魔になって固定金具３６、３７を取付けることができないものであるが本実施形態のように、不燃板２７の天窓３と反対側の縁部に立ち上がり５０を突設して固定金具３６、３７の外方向から固定金具３６、３７間を遮蔽するものにおいては、立ち上がり５０と天窓３との間に固定金具３６、３７を配設できるものである。
【００４３】
不燃板２７を固着具２２により固着することで、不燃板２７の下面に設けた弾性を有する防水材５２が防水テープ５１に押接し、不燃板２７の下面に設けた防水材５２により防水テープ５１を弾性的に押接して防水テープ５１が浮き上がって、防水テープ５１の下面側に雨水が浸入するのを防止し、更に、不燃板２７の端部から不燃板２７の下面側に雨水が浸入するのを防止することができるものである。この場合、図１３に示すように、枠体１８の上部に取付ける枠部６の外側端部に下方に向けて開口する溝形状をした係止部５４を設け、また、不燃板２７の天窓３側の端縁部に上方に向けて起立片５３を突設し、この起立片５３の上端を天窓３に設けた係止部５４に係止することで、不燃板２７の天窓３側の端部を下方に押し付ける力が作用し、これにより不燃板２７の下面に設けた防水材５２で防水テープ５１を確実に弾性的に押接することができて、防水テープ５１の浮き上がりをより確実に防止することができ、雨水の浸入を確実に防止することができるものである。
【００４４】
また、上記のように、不燃板２７の天窓３側の端縁部に上方に向けて突設した起立片５３の上端を天窓３に設けた係止部５４に係止するので、天窓３と野地面とのなすコーナ部分に火種が入り込むのを不燃板２７の天窓３側の端縁部に突設した起立片５３により防ぐことができるものである。
【００４５】
次に、本発明の更に他の実施形態を図１４に基づいて説明する。本実施形態においても、前述の実施形態と同様に採光パネル５の下方位置における屋根１の上面の天窓３の四周の水下、両側、水上の野地面に４枚の不燃板２７を敷設する。各不燃板２７の天窓３側の端縁部には前述の実施形態と同様に上方に向けて起立片５３を突設し、この起立片５３の上端を天窓３に設けた係止部５４に係止する。起立片５３の作用は前述の実施形態で述べた通りであるので、説明は省略する。また、各不燃板２７には前述の各実施形態と同様に固定金具３６、３７間の隙間を遮蔽するための立ち上がり５０を突設してあるが、立ち上がり５０は不燃板２７と別体、一体のいずれであってもよい。
【００４６】
本実施形態においては水下側の不燃板２７の起立片５３の横方向の両端部の背面に弾性を有する止水材５５を設けてあり、また、水下側の不燃板２７の起立片５３の止水材５５よりも内側の下端部に排水孔５６を設けてある。このような構成の水下側の不燃板２７を天窓３の水下側に沿って前述の実施形態のように取付けると共に起立片５３を天窓３に設けた係止部５４に係止した状態で水下側の不燃板２７の起立片５３に設けた止水材５５を天窓３の上部の水下側の側面に押接するものである。これにより天窓３の側部に配設した側部の不燃板２７の起立片５３と天窓３の側面との間の隙間を流れる雨水が水下側の不燃板２７の起立片５３と天窓３の水下側の側面との間の隙間に流れ込むのを止水材５５により防止することができるものである。また、天窓３内に発生した結露水は天窓３の水下側上枠材２１ａに設けた孔５８から天窓３の外に排水されるが、この結露水と天窓３の水下側上枠材２１ａの外面に発生した結露水は、天窓３の水下側の側面と上記水下側の不燃板２７の起立片５３との間に滞留することなく、起立片５３に設けた排水孔５６から外部に排水されることになる。
【００４７】
【発明の効果】
上記のように本発明の請求項１記載の発明にあっては、屋根の開口部に天窓を取付け、屋根上に多数のパネル状の太陽電池モジュールを配設すると共に、屋根の天窓部分の上方位置において太陽電池モジュールに代えて採光パネルを配置し、少なくとも採光パネルの下方位置における屋根の上面の天窓の取付け部分の周囲の野地面に不燃板を敷設してあるので、採光パネルを太陽電池モジュールのダミーパネルとして利用することで、屋根上の太陽電池モジュールを多数並べた部分に天窓が露出せず、屋根の外観をよくしながら採光パネル、天窓のガラスを介して室内に採光できるものであり、また、採光パネルが破損した場合、もし火の粉が採光パネルの破損した部分から天窓の周囲の野地面に落ちたとしても不燃板により野地面が覆われているため屋根が燃えるのを防止することができるものである。
【００４８】
また、上記屋根上に多数の固定金具を取付け、下段の太陽電池モジュールの軒棟方向の棟側端部を固定金具に載置して取付け、上段の太陽電池モジュールの軒棟方向の軒側端部を下段の太陽電池モジュールの棟側端部上に載設して取付け、該上段の太陽電池モジュールの軒と平行な両端部をそれぞれ固定金具に載置して取付け、採光パネルの軒棟方向における軒側端部を、該採光パネルの下段の太陽電池モジュールの棟側端部上に重ねて取付け、採光パネルの軒棟方向における棟側端部を固定金具に載置して取付け、採光パネルの軒と平行な方向の両端部を固定金具に載置して取付けるので、採光パネルを太陽電池モジュールと同様にして施工できるものであり、しかも、このように採光パネルを太陽電池モジュールと同様にして施工できるようにしたものにおいて、不燃板に固定金具間の隙間を遮蔽するための立ち上がりを突設してあるので、採光パネルが破損して天窓の周囲の野地面上に敷設した不燃板上に火の粉のような火種が落ちても固定金具間や固定金具間から太陽電池モジュールの下方の空間に火種が入り込むのを防止できて、太陽電池モジュールの下方位置において屋根が燃えるのを防止できるものである。
【００４９】
また、請求項２記載の発明にあっては、上記請求項１記載の発明の効果に加えて、不燃板上に不燃板とは別体の不燃材を載設して立ち上がりを構成してあるので、天窓と採光パネルの位置がずれて施工された場合でも、不燃材が不燃板別体であるため、固定金具の位置を避けて不燃材を不燃板上に載設して固定金具間の隙間を確実に遮蔽することができるものである。
【００５０】
また、請求項３記載の発明にあっては、上記請求項１記載の発明の効果に加えて、採光パネルの下方に採光パネルよりも平面視における大きさが小さい天窓を配置し、屋根の上面の天窓の四周の水下、両側、水上の野地面に４枚の不燃板を敷設し、天窓の周囲に位置する固定金具を不燃板上に載置した状態で固定し、各不燃板の固定金具を基準にして天窓と反対側の隣接する太陽電池モジュールの下方位置に立ち上がりを設けてあるので、各不燃板に立ち上がりを一体に形成したものにおいて、天窓と採光パネルの位置がずれて施工された場合でも、固定金具が立ち上がりを避けることができて立ち上がりにより固定金具間の隙間を遮蔽することができるものである。
【００５１】
また、請求項４記載の発明にあっては、上記請求項１又は請求項２又は請求項３記載の発明の効果に加えて、天窓の上部を野地面よりも上方に突出させ、野地面上に防水性を有する屋根下地材を敷設し、天窓の側面部と採光窓に隣接した屋根下地材上にわたって防水テープを貼り付け、不燃板の下面に設けた弾性を有する防水材を防水テープに押接してあるので、不燃板を敷設することで、不燃板の下面に設けた防水材により防水テープを弾性的に押接して防水テープが浮き上がって、防水テープの下面側に雨水が浸入するのを防止し、更に、不燃板の端部から不燃板の下面側に雨水が浸入するのを防止することができるものである。
【００５２】
また、請求項５記載の発明にあっては、上記請求項４記載の発明の効果に加えて、不燃板の天窓側の端縁部に上方に向けて起立片を突設し、この起立片の上端を天窓に設けた係止部に係止してあるので、天窓と野地面とのなすコーナ部分に火種が入り込むのを不燃板の天窓側の端縁部に突設した起立片により防ぐことができるものであり、また、起立片の上端を天窓に設けた係止部に係止することで、不燃板の天窓側の端部を下方に押し付ける力が作用し、これにより不燃板の下面に設けた防水材で防水テープを確実に弾性的に押接することができて、防水テープの浮き上がりをより確実に防止することができ、雨水の浸入を確実に防止することができるものである。
【００５３】
また、請求項６記載の発明にあっては、上記請求項１乃至請求項５のいずれかに記載の発明の効果に加えて、採光パネルの下方位置における屋根の上面の天窓の四周の水下、両側、水上の野地面に４枚の不燃板を敷設し、不燃板の天窓側の端縁部に上方に向けて起立片を突設し、この起立片の上端を天窓に設けた係止部に係止し、水下側の不燃板の起立片の横方向の両端部の背面に弾性を有する止水材を設けて該止水材を天窓の上部の水下側の側面に押接し、水下側の不燃板の起立片の止水材よりも内側の下端部に排水孔を設けてあるので、側部の不燃板の起立片と天窓の側面との間の隙間を流れる雨水が水下側の不燃板の起立片と天窓の水下側の側面との間の隙間に流れ込むのを止水材により防止することができ、また、天窓の結露水は水下側の不燃板の起立片と天窓の水下側の側面との間の隙間から排水孔を経て外部に排出することができるものであり、これにより水下側の不燃板の起立片と天窓の水下側の側面との間に水が滞留することがなく、水が滞留することで、天窓の取付け部分から漏水するおそれがないものである。
【図面の簡単な説明】
【図１】本発明の採光窓の軒棟方向の断面図である。
【図２】同上の採光窓の軒と平行な方向の断面図である。
【図３】同上の採光窓の水下側の拡大断面図である。
【図４】同上の採光窓の水上側の拡大断面図である。
【図５】同上の採光窓の側部の拡大断面図である。
【図６】同上の採光窓を形成した屋根の一例の斜視図である。
【図７】同上の採光窓の形成順序を示す概略説明図である。
【図８】同上の不燃材の配置位置を示す採光パネルを外した状態における平面図である。
【図９】同上の不燃材の配置位置を示す他の実施形態における採光パネルを外した状態の平面図である。
【図１０】同上の不燃材の配置位置を示す更に他の実施形態における採光パネルを外した状態の平面図である。
【図１１】（ａ）（ｂ）（ｃ）は同上に用いる不燃材の平面図、正面図、側面図である。
【図１２】本発明の他の実施形態の一部分解概略斜視図である。
【図１３】同上の要部拡大断面図である。
【図１４】本発明の更に他の実施形態の要部斜視図である。
【図１５】同上に用いる水下側の不燃板の起立片部分の斜視図である。
【符号の説明】
１  屋根
２  開口部
３  天窓
５  採光パネル
８  太陽電池モジュール
２７  不燃板
２８  不燃材
３６  固定金具
３７  固定金具
５０  立ち上がり
５１  防水テープ
５２  防水材
５３  起立片
５４  係止部
５５  止水材
５６  排水孔
【図１】
0003969268.tif 000002
【図２】
0003969268.tif 000003
【図３】
0003969268.tif 000004
【図４】
0003969268.tif 000005
【図５】
0003969268.tif 000006
【図６】
0003969268.tif 000007
【図７】
0003969268.tif 000008
【図８】
0003969268.tif 000009
【図９】
0003969268.tif 000010
【図１０】
0003969268.tif 000011
【図１１】
0003969268.tif 000012
【図１２】
0003969268.tif 000013
【図１３】
0003969268.tif 000014
【図１４】
0003969268.tif 000015
【図１５】
0003969268.tif 000016